(57)【要約】【課題】震災などの災害時やアウトドアライフなどにおいて、簡単に組み立てて使用できる簡易トイレを提供する。【解決手段】上部１２ａ及び下部１２ｂが開口した胴部１２と、該胴部１２の下部１２ｂに設けられる底板１３と、前記胴部１２の上部１２ａに設けられる便座部材１４と、前記胴部１２内に配置される排泄物収納用の袋１５とからなる組立式の簡易トイレ１１であって、前記便座部材１４は、第１便座部３３と、該第１便座部３３の端部にヒンジ部３４を介して折曲げ自在に連設した第２便座部３６と、該第２便座部３６の端部にヒンジ部３７を介して折曲げ自在に連設した蓋部３８とからなる。【選択図】図１
0003123238.tif 000002
【実用新案登録請求の範囲】
【請求項１】
上部及び下部が開口した胴部と、該胴部の下部に設けられる底板と、前記胴部の上部に設けられる便座部材と、前記胴部内に配置される排泄物収納用の袋とからなる組立式の簡易トイレであって、
前記便座部材は、第１便座部と、該第１便座部の端部にヒンジ部を介して折曲げ自在に連設した第２便座部と、該第２便座部の端部にヒンジ部を介して折曲げ自在に連設した蓋部とからなることを特徴とする簡易トイレ。
【請求項２】
前記胴部は、コ字状に折り曲げた一対の板材を組み合わせて形成することを特徴とする請求項１に記載の簡易トイレ。
【請求項３】
前記胴部、底板及び便座部材は、樹脂を含浸させた段ボールで形成されていることを特徴とする請求項１に記載の簡易トイレ。
【考案の詳細な説明】
【技術分野】
【０００１】
本考案は、簡易トイレに関するものであり、更に詳しくは、震災などの災害時やアウトドアライフなどにおいて、簡単に組み立てて使用できる簡易トイレに関するものである。
【背景技術】
【０００２】
従来の簡易トイレとしては、図８に示す構成のものが知られている。この簡易トイレ１は底部２と、底部２に立設する胴部３と、胴部３の上に設けられる座部４とが段ボールで形成されており、座部４の開口部５から胴部３の内部に汚物収納用の袋６が設けられる構成である（特許文献１参照）。
【０００３】
このような構成の簡易トイレ１は、袋６の端部が折り返されて座部４の上部を覆った状態にあるので、座部４が汚物等で汚れないという特徴がある。
【特許文献１】実用新案登録第３１１３２７０号公報
【考案の開示】
【考案が解決しようとする課題】
【０００４】
この従来例の簡易トイレにおいては、座部４が袋６で覆われるので汚れないものの、着座したときに、使用者の臀部が汚物の収納される袋６と一連の部分に直接触れることとなり、その点で不潔感をいだくおそれがある。
【０００５】
従って、従来例における簡易トイレにおいては、座部４に着座したときに、使用者の臀部が袋６に直接触れないようにすることに解決しなければならない課題を有している。
【課題を解決するための手段】
【０００６】
前記従来例の課題を解決する具体的手段として本考案は、上部及び下部が開口した胴部と、該胴部の下部に設けられる底板と、前記胴部の上部に設けられる便座部材と、前記胴部内に配置される排泄物収納用の袋とからなる組立式の簡易トイレであって、前記便座部材は、第１便座部と、該第１便座部の端部にヒンジ部を介して折曲げ自在に連設した第２便座部と、該第２便座部の端部にヒンジ部を介して折曲げ自在に連設した蓋部とからなることを特徴とする簡易トイレを提供するものである。
【０００７】
また、前記胴部は、コ字状に折り曲げた一対の板材を組み合わせて形成する構成としたものであり、更に、前記胴部、底板及び便座部材は、樹脂を含浸させた段ボールで形成されている構成としたものである。
【考案の効果】
【０００８】
本考案に係る簡易トイレは、上部及び下部が開口した胴部と、該胴部の下部に設けられる底板と、前記胴部の上部に設けられる便座部材と、前記胴部内に配置される排泄物収納用の袋とからなる組立式の簡易トイレであって、前記便座部材は、第１便座部と、該第１便座部の端部にヒンジ部を介して折曲げ自在に連設した第２便座部と、該第２便座部の端部にヒンジ部を介して折曲げ自在に連設した蓋部とからなることによって、胴部内に配置する袋の端部を第１便座部の上部を覆う状態に折り返してから、その上に第２便座部をセットして使用することができる。この場合は、使用者が第２便座部に着座することとなり、臀部が袋に直接触れないので従来例のような不潔感が生じない。
一方、袋の端部を第２便座部の上部を覆う状態に折り返して使用することもできるので、この場合は、第２便座部が汚物等で汚れない。
つまり、その時の状況に応じて、袋の端部を第１便座部を覆うように折り返して使用することができるし、また、第２便座部を覆うように折り返して使用することもできるという優れた効果を奏する。
【０００９】
また、胴部は、コ字状に折り曲げた一対の板材を組み合わせて形成することによって、２枚の板材を用いるので強度が向上する。また、組立前の保管時には、胴部が２部材に分割されているので、コンパクトに収納されるという種々の優れた効果を奏する。
【００１０】
更に、胴部、底板及び便座部材は、樹脂を含浸させた段ボールで形成されていることによって、段ボールは紙製材料なので製造コストを低く抑えることができると共に、樹脂を含浸させることにより高い強度が維持できるという優れた効果を奏する。
【考案を実施するための最良の形態】
【００１１】
次に、本考案の実施の形態について図面を参照しながら説明する。まず、図１から図３において、符号１１は簡易トイレを示し、この簡易トイレ１１は、上部１２ａ及び下部１２ｂが開口した箱形の胴部１２と、この胴部１２の下部１２ｂに設けられる底板１３と、胴部１２の上部１２ａに設けられる便座部材１４と、胴部１２内に配置される排泄物収納用の袋１５とを組み立てて形成される。
【００１２】
胴部１２は、図３に示すように、コ字状に折り曲げた一対の板材１６、板材１６を組み合わせて形成する。板材１６は、図４に示すように、側面部１７と、この側面部１７の一端に折り目１８を介して設けられる妻面部１９と、側面部１７の他端に折り目２０を介して設けられる補強板２１とを有し、折り目２０には、所定の間隔を開けて２箇所の長孔２２、２２が設けられている。また、妻面部１９の他端側には、所定の間隔を開けて２箇所の係止片２３、２３が設けられている。更に、側面部１７の下部には、長孔２４が形成されている。この長孔２４は、後述する底板１３の係止部２９を挿入して係止させる部位である。
【００１３】
このような構成の板材１６は、側面部１７と妻面部１９と補強板２１とをコ字状に折り曲げてから、一対の板材１６、板材１６を互いに抱持する状態に組み合わせて、互いの係止片２３、２３を相手側の長孔２２、２２に挿入して係止させ、箱形の胴部１２を形成する。
【００１４】
なお、胴部１２の形状は、必ずしも上述のような箱形に限定されることはなく、平面視が多角形状の箱形や、筒形等であってもよいことは勿論である（図示せず）。
【００１５】
底板１３は、図５に示すように、長方形状の板材２５の長辺の両端部にそれぞれ折り目２６を介して立上部２７を有している。また、折り目２６のほぼ中央部にコ字状の切れ目２８が形成されている。この切れ目２８の存在によって、立上部２７を折り目２６に沿って折り曲げたときに、切れ目２８の部位が突出して係止片２９が形成されるようになっている（図３参照）。更に、板材２５の短辺の両端部には、それぞれ折り目３０を介して立上部３１を有している。
【００１６】
便座部材１４は、図３及び図６に示すように、中央孔３２を有する第１便座部３３と、この第１便座部３３の端部にヒンジ部３４を介して折曲げ自在に連設され且つ中央孔３５を有する第２便座部３６と、この第２便座部３６の端部にヒンジ部３７を介して折曲げ自在に連設された蓋部３８とを有している。
【００１７】
また、第１便座部３３の底部には、図７（イ）（ロ）に示すように、中央部が長方形状に開口する板材４２が貼着されている。この板材４２には、一対の切れ目４３、切れ目４３が形成されていると共に、切れ目４３の端部同士のつなぐ折り目４１が設けられている。そして、折り目４１に沿って立上壁部３９を有し、この立上壁部３９は矢印Ｂ方向に折り曲げて立ち上がらせることができるようになっている。一対の立上壁部３９、立上壁部３９同士は、対称的に形成されている。
【００１８】
立ち上がらせた立上壁部３９及び立上壁部３９は、図７（ハ）に示すように、それぞれ内側に（矢印Ｃ方向に）付勢された状態になっており、両方の立上壁部３９及び立上壁部３９で、胴部１２の上部１２ａを両側から挟持した状態に保持できるようになっている。
【００１９】
袋１５は、保水性の高いビニール等で形成されている。また、袋１５は、胴部１２内に配置できると共に、端部１５ａを便座部材１４の外側に位置できる所要の大きさに形成されている。更に、袋１５の端部１５ａには、廃棄時に縮径して縛れるように紐４０が設けられている。
【００２０】
次に、以上のような構成の胴部１２と底板１３と便座部材１４とを組み立てて、簡易トイレ１１を形成する手順について説明する。まず、前述のように、板材１６の側面部１７と妻面部１９と補強板２１とをコ字状に折り曲げてから、一対の板材１６、板材１６を互いに抱持する状態で組み合わせると共に、互いの係止片２３、２３を相手側の長孔２２、２２に挿入して係止させて箱形の胴部１２を形成する。
【００２１】
そして、板材２５の立上部２７を折り目２６に沿って折り曲げると共に、切れ目２８に沿って係止片２９を突出させる。また、立上部３１を折り目３０に沿って折り曲げる。このような底板１３を胴部１２の下部１２ｂに宛って上方に押し込むと共に、係止片２９を側面部１７の長孔２４に挿入して係止させることにより、胴部１２の下部１２ｂに底板１３を組み付けることができる。
【００２２】
更に、第１便座部３３の両方の立上壁部３９及び立上壁部３９を折り目４１及び折り目４１に沿って立ち上がらせてから、胴部１２の上部１２ａを両側から挟持する状態で保持させることにより、便座部材１４を組み付けることができる。
【００２３】
次に、袋１５を胴部１２内に配置してから、端部１５ａを、第１便座部３３の上部１２ａを覆う状態に折り返して、その上に第２便座部３６をセットする（図１参照）。この場合は、使用者が第２便座部３６に着座することとなり、臀部が袋１５に直接触れない。
【００２４】
一方、袋１５の端部１５ａを第２便座部３６の上部１２ａを覆う状態に折り返して使用することも可能である（図２参照）。この場合は、第２便座部３６が汚物等で汚れない。
【００２５】
要するに、使用時の状況に応じて、袋１５の端部１５ａを第１便座部３３を覆うように折り返して使用することができるし、また、第２便座部３６を覆うように折り返して使用することもできるのである。
【００２６】
なお、胴部１２、底板１３及び便座部材１４は、合成樹脂板、金属板、木製板あるいは厚紙等の適宜な板材で形成することができるが、特に、樹脂を含浸させた段ボールで形成することが望ましい。この場合、段ボール紙は製材料なので製造コストを比較的低く抑えることができると共に、樹脂を含浸させることにより高い強度が維持できる。
【図面の簡単な説明】
【００２７】
【図１】本考案に係る簡易トイレ１１の斜視図である。
【図２】本考案に係る簡易トイレ１１の斜視図である。
【図３】本考案に係る簡易トイレ１１を、胴部１２、底板１３、便座部材１４及び袋１５に分離して示した斜視図である。
【図４】胴部１２の平面図である。
【図５】底板１３の平面図である。
【図６】便座部材１４の平面図である。
【図７】（イ）は、第１便座部３３の底部を示す平面図である。（ロ）は、（イ）のＡ−Ａ線断面図である。（ハ）は、立上壁部３９を立ち上がらせた状態の、第１便座部３３の縦断面図である。
【図８】従来例に係る簡易トイレ１の斜視図である。
【符号の説明】
【００２８】
１    簡易トイレ
２    底部
３    胴部
４    座部
５    開口部
６    袋
１１  簡易トイレ
１２  胴部
１２ａ上部
１２ｂ下部
１３  底板
１４  便座部材
１５  袋
１５ａ端部
１６  板材
１７  側面部
１８  折り目
１９  妻面部
２０  折り目
２１  補強板
２２  長孔
２３  係止片
２４  長孔
２５  板材
２６  折り目
２７  立上部
２８  切れ目
２９  係止部
３０  折り目
３１  立上部
３２  中央孔
３３  第１便座部
３４  ヒンジ部
３５  中央孔
３６  第２便座部
３７  ヒンジ部
３８  蓋部
３９  立上壁部
４０  紐
４１  折り目
４２  板材
４３  切れ目
【図１】
0003123238.tif 000003
【図２】
0003123238.tif 000004
【図３】
0003123238.tif 000005
【図４】
0003123238.tif 000006
【図５】
0003123238.tif 000007
【図６】
0003123238.tif 000008
【図７】
0003123238.tif 000009
【図８】
0003123238.tif 000010